(57)【特許請求の範囲】
【請求項１】
第１の通信手段を介してデジタル放送波を受信し、前記デジタル放送波に含まれるデジタル放送信号を第２の通信手段を介して再送信するデジタル放送再送信装置であって、
受信した前記デジタル放送信号に含まれる受信データＥＳのＰＩＤと、前記受信データＥＳの属するプログラムとの対応を管理するテーブルを作成する管理テーブル作成手段と、
前記受信データＥＳを検出し、前記デジタル放送信号から前記受信データＥＳを取り除くデータＥＳ抽出手段と、
前記受信データＥＳを所定の符号化方式で符号化するデータＥＳ符号化手段と、
前記符号化された受信データＥＳを蓄積する符号化データＥＳ蓄積手段と、
前記符号化された受信データＥＳを前記第２の通信手段に配信する符号化データＥＳ配信手段と、
前記符号化された受信データＥＳを蓄積する符号化データＥＳ蓄積手段から所定のデータＥＳに含まれる情報を取り出すためのアドレスに関する情報を所定の形式で記述したアドレス情報を、新たなデータＥＳとして前記デジタル放送信号に多重するデータ多重手段と、
前記アドレス情報が多重されたデジタル放送信号を、前記第２の通信手段に再送信する再送信手段を有し、
前記データ多重手段は、前記新たなデータＥＳのＰＩＤを、前記データＥＳ抽出手段において取り除かれた前記受信データＥＳのＰＩＤと一致させて、前記新たなデータＥＳを前記デジタル放送信号に多重することを特徴とする、デジタル放送再送信装置。
【請求項２】
第１の通信手段を介してデジタル放送波を受信し、前記デジタル放送波に含まれるデジタル放送信号を第２の通信手段を介して再送信するデジタル放送再送信装置であって、
受信した前記デジタル放送信号に含まれる受信データＥＳのＰＩＤと、前記受信データＥＳの属するプログラムとの対応を管理するテーブルを作成する管理テーブル作成手段と、
前記受信データＥＳを検出し、前記デジタル放送信号から前記受信データＥＳを取り除くデータＥＳ抽出手段と、
前記受信データＥＳを所定の符号化方式で符号化するデータＥＳ符号化手段と、
前記符号化された受信データＥＳを蓄積する符号化データＥＳ蓄積手段と、
前記符号化された受信データＥＳを前記第２の通信手段に配信する符号化データＥＳ配信手段と、
前記符号化された受信データＥＳを蓄積する符号化データＥＳ蓄積手段から所定のデータＥＳに含まれる情報を取り出すためのアドレスに関する情報を所定の形式で記述したアドレス情報を、新たなデータＥＳとして前記デジタル放送信号に多重するデータ多重手段と、
前記アドレス情報が多重されたデジタル放送信号を、前記第２の通信手段に再送信する再送信手段と、
前記デジタル放送信号に含まれるＰＭＴの内容を編集するＰＭＴ編集手段を有し、
前記ＰＭＴ編集手段は、前記デジタル放送信号に含まれる別々のプログラムに属する複数のデータＥＳのＰＩＤを編集し、前記複数のデータＥＳのＰＩＤを全て所定の値に変更し、
前記データ多重手段は、前記新たなデータＥＳのＰＩＤを、前記所定の値と一致させ、前記新たなデータＥＳを前記デジタル放送信号に多重することを特徴とする、デジタル放送再送信装置。
【請求項３】
前記受信データＥＳは、ＢＭＬ符号化されているエレメンタリー・ストリームであることを特徴とする請求項１または２に記載のデジタル放送再送信装置。
【請求項４】
前記所定の符号化方式は、ＢＭＬであることを特徴とする請求項１または２に記載のデジタル放送再送信装置。
【請求項５】
前記アドレス情報の前記所定の形式は、ＢＭＬファイル形式であることを特徴とする請求項１または２に記載のデジタル放送再送信装置。
【請求項６】
前記第１の通信手段は、地上デジタル放送であり、前記第２の通信手段は、ＩＰ網であることを特徴とする請求項１または２に記載のデジタル放送再送信装置。
【発明の詳細な説明】
【技術分野】
【０００１】
本発明は、デジタル放送の再送信装置に関する。本発明は特に、ＩＰ(Internet Protocol)ネットワーク（以下、ＩＰ網と記す。）を用い、地上デジタル放送等のデジタル放送信号を、再送信に必要な帯域幅を圧縮して再送信するデジタル放送再送信装置に関する。
【背景技術】
【０００２】
近年、地上デジタル放送も開始され、我が国における放送のデジタル化は着実な進展を遂げている。また、ケーブルテレビ（以下、ＣＡＴＶと記す。）網へデジタル放送信号を再送信するサービスも実現されており、ＣＡＴＶ加入者もデジタル放送の提供するサービスを受信することができる。
【０００３】
例えば地上デジタル放送をＣＡＴＶ網へ再送信する場合、ＣＡＴＶでの１伝送チャネル当たりの帯域幅は、地上デジタル放送の１伝送チャネル当たりの帯域幅よりも広いため、変調方式をＣＡＴＶに適した変調方式に変換し、デジタル放送信号中の番組配列情報を一部変更するのみで、地上デジタル放送に含まれる全ての信号をそのままＣＡＴＶ網に伝送できる。よって、ＣＡＴＶ網で地上デジタル放送のすべてのサービスを伝送することは比較的容易である。デジタル放送をＣＡＴＶ網へデジタル再送信するための変調方式は複数存在するが、例えば、非特許文献１は、トランスモジュレーション（変調変換）方式を用いた地上デジタル放送のＣＡＴＶ網への再送信方法を開示する。
【０００４】
また、上記とは別の、デジタル放送をＣＡＴＶ網へ再送信する方法として、例えばリマックス方式がある。非特許文献２は、リマックス方式を用いてＣＳデジタル放送等のデジタル放送を再送信する方法を開示する。
【０００５】
上記リマックス方式によるデジタル放送信号再送信では、再送信装置の受信したデジタル放送波に含まれるデジタル放送信号の提供するサービスの一部のみをＣＡＴＶ網へ再送信することができる。この場合、デジタル放送再送信装置（以下、再送信装置と略す。）は、任意のサービスを選択し、トランスポート・ストリームを再構築し、ＣＡＴＶ網へ再送信する。また、再送信装置は、サービスに含まれるデータＥＳを再送信の対象から外し、映像と音声からなるサービスを構成し、電子番組案内等の情報はＣＡＴＶ網へ再送信されるサービスの内容に整合するよう編集され、再送信される信号に再多重され、送信される。
【０００６】
ＣＡＴＶ網に再送信する方式に関連する上記２例はいずれも、デジタル放送信号をＣＡＴＶ網で再送信するのに適した形式に変換し、変換したデジタル放送信号をＣＡＴＶ網へ再送信することによってデジタル放送波を直接受信する場合と同様のサービスを提供する。
【０００７】
他方においては、現在、２０１１年の地上アナログ放送の終了に備え、地上デジタル放送の電波が届かない地域などを対象にしたＩＰ網を利用する地上デジタル放送の再送信サービスが検討されている。
【０００８】
近年、ＦＴＴＨ(Fiber To The Home)などブロードバンド環境が、各家庭に普及しつつあるが、地上デジタル放送のすべてのサービスを、ＩＰ網を使って再送信するには、かなりの広さの帯域が必要である。例えば関東地域においては、広域放送に限っても８つの放送局があり、それぞれの放送が２３Ｍｂｐｓ程度の情報量を有する。
【０００９】
例えば、従来のトランスモジュレーション方式をそのまま、ＩＰ網へのデジタル放送再送信に適用した場合、サービスそれぞれの情報量の合計がそのまま地上デジタル放送の再送信に必要な帯域幅となる。そのため、再送信には合計で２００Ｍｂｐｓ程度の帯域幅が必要である。さらに、上記広域放送に加え、隣接する地域の放送の再送信、ならびに地上デジタル放送以外のデジタル放送、例えばＢＳデジタル放送およびＣＳ(Communication Satellite)デジタル放送等も再送信する場合、さらに広い帯域幅が必要である。ブロードバンド環境の普及が進む昨今の状況を考慮しても、デジタル放送の再送信に必要な帯域幅はできる限り抑制されることが望まれる。
【００１０】
上述のとおり非特許文献１の開示するトランスモジュレーション方式を用いてデジタル放送信号を再送信する場合、デジタル放送信号に含まれる全ての信号がそのままＣＡＴＶ網へ再送信される。よって、再送信のための通信手段としてＩＰ網を用いる場合には、非常に広い帯域幅を備えたＩＰ網が必要である。
【００１１】
また、上述した別例である非特許文献２の開示するリマックス方式を用いてデジタル放送信号を再送信する場合、再送信装置は、再送信されるサービスの信号のみをデジタル放送信号から抽出し、再送信する。よって、元のデジタル放送信号が伝送に要した帯域幅より、再送信に必要な帯域幅を狭くすることができる。
【００１２】
しかし、地上デジタル放送の放送事業者は、ＩＰ網といった通信手段を用いたデジタル放送再送信の条件として、地上デジタル放送の提供するサービスと完全同一なサービスを提供することを要求する。
【００１３】
ＣＡＴＶ事業者は、上記リマックス方式を用いてデジタル放送信号を再送信する場合、デジタル放送波より任意にサービスを抽出し、抽出したサービスを再多重し、再送信する。そのため、この方式を用いた再送信は、デジタル放送波と完全同一なサービスを提供するものではない。従って、リマックス方式によるデジタル放送再送信を、ＩＰ網等を用いた再送信に方式適用した場合、再送信に必要な帯域幅を狭くすることは可能だが、同時に提供されるサービスの地上デジタル放送の提供するサービスとの同一性の確保に関し課題を残す。
【非特許文献１】日本ケーブルラボ、「ＪＣＬ  SPEC-007  1.0版  地上デジタルテレビジョン放送トランスモジュレーション運用仕様」、（日本）
【非特許文献２】日本ケーブルラボ、「ＪＣＬ  SPEC-003  1.0版  デジタル放送リマックス運用仕様（自主放送）」、（日本）
【発明の開示】
【発明が解決しようとする課題】
【００１４】
本発明は、ＩＰ網等を含む通信手段を用いた地上デジタル放送等のデジタル放送の再送信に必要な帯域幅を、従来よりも狭くすることができるデジタル放送の再送信装置を提供する。
【課題を解決するための手段】
【００１５】
本発明は、その一態様においては、第１の通信手段を介してデジタル放送波を受信し、デジタル放送波に含まれるデジタル放送信号を第２の通信手段を介して再送信するデジタル放送再送信装置であって、受信したデジタル放送信号に含まれる受信データＥＳのＰＩＤと、受信データＥＳの属するプログラムとの対応を管理するテーブルを作成する管理テーブル作成手段と、受信データＥＳを検出し、デジタル放送信号から受信データＥＳを取り除くデータＥＳ抽出手段と、受信データＥＳを所定の符号化方式で符号化するデータＥＳ符号化手段と、符号化された受信データＥＳを蓄積する符号化データＥＳ蓄積手段と、符号化された受信データＥＳを第２の通信手段に配信する符号化データＥＳ配信手段と、符号化された受信データＥＳにアクセスするためのアドレスに関する情報を所定の形式で記述したアドレス情報を、新たなデータＥＳとしてデジタル放送信号に多重するデータ多重手段と、アドレス情報が多重されたデジタル放送信号を、第２の通信手段に再送信する再送信手段を有するデジタル放送再送信装置である。
【００１６】
本発明の一態様においては、受信データＥＳは、ＢＭＬ符号化されているエレメンタリー・ストリームであることが好ましい。
【００１７】
本発明の一態様においては、データ多重手段は、新たなデータＥＳのＰＩＤを、データＥＳ抽出手段において取り除かれた受信データＥＳのＰＩＤと一致させて、新たなデータＥＳをデジタル放送信号に多重することが好ましい。
【００１８】
本発明の一態様においては、さらに、デジタル放送信号に含まれるＰＭＴの内容を編集するＰＭＴ編集手段を有し、ＰＭＴ編集手段は、デジタル放送信号に含まれる別々のプログラムに属する複数のデータＥＳのＰＩＤを編集し、複数のデータＥＳのＰＩＤを全て所定の値に変更し、データ多重手段は、新たなデータＥＳのＰＩＤを、所定の値と一致させ、新たなデータＥＳをデジタル放送信号に多重することが好ましい。
【００１９】
本発明の一態様においては、所定の符号化方式は、ＢＭＬであることが好ましい。
【００２０】
本発明の一態様においては、アドレス情報の所定の形式は、ＢＭＬファイル形式であることが好ましい。
【００２１】
本発明の一態様においては、第１の通信手段は、地上デジタル放送であり、第２の通信手段は、ＩＰ網であることが好ましい。
【発明の効果】
【００２２】
本発明にかかるデジタル放送再送信装置は、地上デジタル放送などのデジタル放送を、ＩＰ網を利用して再送信する場合に必要な帯域幅を、従来よりも狭くする効果を有する。
【発明を実施するための最良の形態】
【００２３】
以下、本発明の実施の形態を添付の図面を参照しながら説明する。
【００２４】
（実施の形態１）
図１は、本発明の実施の形態１によるデジタル放送再送信装置（以下、再送信装置と略す。）の構成を示すブロック図である。
【００２５】
図１において、再送信装置１００は、第１の通信手段を介し、地上デジタル放送波といったデジタル放送波を受信し、受信したデジタル放送信号をＩＰ網といった第２の通信手段に対し再送信するデジタル放送再送信装置である。
【００２６】
再送信装置１００は、地上デジタル放送等のデジタル放送波を受信するチューナ部１０１と、受信したデジタル放送波により伝送されるデジタル放送信号に含まれる情報より後述する管理テーブルを作成する管理テーブル作成部１０３と、デジタル放送信号に含まれるデータＥＳを検出し、抽出するデータＥＳ抽出部１０５と、データＥＳ抽出部１０５が抽出したデータＥＳをＢＭＬ符号化するデータＥＳ−ＢＭＬ変換部１０７と、ＢＭＬ符号化したデータＥＳを蓄積する蓄積部１０９と、蓄積部１０９に蓄積したＢＭＬ符号化したデータＥＳ等をＨＴＴＰ(Hyper Text Transfer Protocol)で配信する情報配信サーバ１１１と、ＩＰ網１１９に接続された情報配信サーバ（ＷＥＢサーバ）１１１および情報配信サーバ１１１内に蓄積されるデータにアクセスするためのアドレス情報を蓄積するＢＭＬデータ蓄積部１１５と、デジタル放送信号にＢＭＬデータ蓄積部１１５が蓄積するアドレス情報を多重するデータ多重部１１３と、デジタル放送信号をＩＰパケット化し、ＩＰ網１１９へ再送信するＩＰ送信部１１７を有する。
【００２７】
なお、図１において蓄積部１０９および情報配信サーバ１１１を、再送信装置１００の外部装置として示したが、蓄積部１０９および情報配信サーバ１１１を、再送信装置１００の内部装置としてもよい。
【００２８】
本明細書においてデジタル放送は、第１の通信手段の１つとする。また、デジタル放送波は、地上デジタル放送波、ＢＳデジタル放送波、ＣＳデジタル放送波等のいずれであってもよく、さらに、ＣＡＴＶ網等により伝送される放送波であってもよい。デジタル放送信号は、上記のデジタル放送波を伝送する全ての信号を含む概念のものである。
【００２９】
本発明のデジタル放送再送信装置が再送信を行う第２の通信手段は、インターネット・プロトコルを用いたＩＰ網を例として説明するが、これに限定されない。例えば、第２の通信手段は、電波を用いた通信手段であってもよい。
【００３０】
チューナ部１０１は、デジタル放送再送信装置の放送波受信手段である。第１の通信手段からデジタル放送波を受ける放送波受信手段は、アンテナ等を備えることができ、空気中を伝播する放送波を受信することができ、または、所定の伝送網もしくは通信網に接続し、伝送網もしくは通信網中を伝送されるデジタル放送波を受信することもできる。また、放送波受信手段は、再送信を行う第２の通信手段であるＩＰ網（再送信用ＩＰ網）の帯域幅と同等もしくはさらに広い帯域幅を有するＩＰ網（受信用ＩＰ網）からデジタル放送信号を受信することもできる。その場合、再送信装置は、第１の通信手段である受信用ＩＰ網より受信したデジタル放送信号を、第２の通信手段である再送信用ＩＰ網へ再送信することができる。
【００３１】
管理テーブル作成部１０３は、デジタル放送再送信装置の管理テーブル作成手段である。管理テーブルについては後述する。
【００３２】
データＥＳ抽出部１０５は、デジタル放送再送信装置のデータＥＳ抽出手段である。デジタル放送信号に含まれるデータＥＳは、例えばＢＭＬ(Broadcast Markup Language)で符号化されたストリームとして伝送される。
【００３３】
データＥＳ−ＢＭＬ変換部１０７は、デジタル放送再送信装置のデータＥＳ符号化手段である。
【００３４】
蓄積部１０９は、デジタル放送再送信装置の符号化データＥＳ蓄積手段である。
【００３５】
情報配信サーバ１１１は、デジタル放送再送信装置の符号化データＥＳ配信手段である。符号化データＥＳ配信手段は、ＨＴＴＰの規約に則って情報を配信することが可能である。また、その他の伝送規約または通信規約に則って情報を配信することも可能である。
【００３６】
ＢＭＬデータ蓄積部１１５は、デジタル放送再送信装置のアドレス情報蓄積手段である。
【００３７】
データ多重部１１３は、デジタル放送再送信装置のデータ多重手段である。
【００３８】
ＩＰ送信部１１７は、デジタル放送再送信装置の再送信手段である。
【００３９】
これより、以上のように構成された本発明の実施の形態１によるデジタル放送再送信装置の動作について説明する。先ず概説すれば、再送信装置１００は、デジタル放送信号に含まれるデータＥＳを検出し、分離・抽出し、さらに、抽出したデータＥＳをＢＭＬ符号化して符号化データＥＳ（ＢＭＬ符号化されたデータＥＳ等）として蓄積する。データＥＳはデジタル放送信号から取り除かれ、代わりに情報配信サーバ１０９に蓄積された符号化データＥＳにアクセスするためのアドレス情報をデジタル放送信号に多重し再送信する。
【００４０】
再送信装置１００の動作について、図を参照しながら詳述する。図２は、チューナ部１０１が受信したデジタル放送波に含まれるデジタル放送信号を、管理テーブル部１０３がチェックし、デジタル放送信号に含まれるＰＡＴ、ＰＭＴ等を参照することにより管理テーブルを作成するまでの処理に関するフローチャートである。当業者であれば、以下の説明より、管理テーブルについて理解することは容易であろう。なお、図３は、本発明によって作成される管理テーブルの一例を示す図である。
【００４１】
チューナ部１０１は、デジタル放送波を受信し、受信したデジタル放送波のデジタル放送信号を管理テーブル作成部１０３に送る（ステップＳ１０１）。ここでは、デジタル放送信号は、例えばＭＰＥＧ−２ＴＳといった所定のプロトコルに従ったデータ列（ストリーム）を有するものとするが、その他の伝送規約（もしくは通信規約）（プロトコル）に則った信号であってもよい。
【００４２】
ステップＳ１０３では、管理テーブル作成部１０３は、送られてきたデジタル放送信号に含まれる全てのＴＳ（トランスポート・ストリーム(Transport Stream)）パケットのＰＩＤ（パケット識別子(Packet Identifier)）をチェックする。ＴＳパケットのＰＩＤがＰＡＴ（番組統合テーブル(Program Association Table)）を指すものであれば、ＰＡＴのセクション解析を行い、ＰＡＴの内容を参照し、ＴＳに含まれるプログラムのＰＭＴ（番組対応テーブル(Program Map Table)）のＰＩＤを取得する。ここで、ＰＡＴのＰＩＤは、０ｘ００００と規定されている。よって、管理テーブル作成部１０３は、ＴＳパケットのＰＩＤが０ｘ００００であるか否かを判定する。ＴＳパケットがＰＡＴを含むと判定されると、ステップＳ１０５に進む。ＰＡＴを含まないと判定した場合、ステップＳ１０９に進む。
【００４３】
ＰＡＴは、少なくとも、ＰＭＴのＰＩＤおよびＮＩＴ（ネットワーク・インフォメーション・テーブル(Network Information Table)）のＰＩＤのいずれかの情報を記述する。ステップＳ１０５では、管理テーブル作成部１０３は、ＰＡＴに記述された、ＴＳに含まれるプログラムのＰＭＴのＰＩＤを取得する。
【００４４】
ステップＳ１０７では、管理テーブル作成部１０３は、各プログラム（本明細書では、プログラムを「サービスＩＤ」で区別する。サービスＩＤは、プログラム毎に異なる番号を有する。）と、そのＰＭＴのＰＩＤを関連付けて管理テーブルを作成する。図３を参照すれば、管理テーブル１２１は４列を有し、第１列１２３は、サービスＩＤを示し、第２列１２５は、同一行のサービスＩＤの指すプログラムのＰＭＴのＰＩＤを示す。第３列１２７および第４列１２９については、後で説明する。同一の行に記載されたデータは互いに関連付けられている。ステップＳ１０７では、管理テーブル１２１の第１列１２３と第２列１２５との関連付け、即ち、サービスＩＤと、そのＰＭＴのＰＩＤとの関連付けを行う。そして、本フローチャートに含まれる以降の処理はスキップする。
【００４５】
ステップＳ１０９では、ステップＳ１０５およびＳ１０７で取得したＰＭＴのＰＩＤに基づき、各ＴＳパケットのＰＩＤをチェックし、ＴＳパケットがＰＭＴであるか否かを判定する。ＴＳパケットのＰＩＤが、ＰＭＴのＰＩＤのいずれか１つと一致すれば、ステップＳ１１１に進み、一致しなければ、本フローチャートに含まれる以後の処理はスキップする。
【００４６】
図３を参照すれば、本例では、ＴＳには４つのプログラムが含まれ、各プログラムはサービスＩＤの１〜４で区別される（第１列１２３参照。）。第２列１２５を見れば、各サービスＩＤのＰＭＴのＰＩＤが記されている。よって、本例では、ステップＳ１０９において、判定対象のＴＳパケットのＰＩＤが、０ｘ１４００、０ｘ１５００、０ｘ１６００、または０ｘ１７００のいずれかと一致するか否かを判定する。
【００４７】
ＰＭＴは、プログラムを構成する映像のＥＳ、音声のＥＳ、またはデータのＥＳのＰＩＤを記述する。ステップＳ１１３では、ＰＭＴの属するプログラムにデータＥＳのＰＩＤに関する記述が含まれるか否かを判定する。この判定により、判定対象のＰＭＴの属するプログラムにデータＥＳが多重されているか否かを判定する。判定対象のＰＭＴにデータＥＳのＰＩＤが含まれている場合、ステップＳ１１５に進み、含まれない場合、ステップＳ１１９に進む。
【００４８】
ステップＳ１１５では、管理テーブル作成部１０３は、管理テーブル１２１の第３列１２７に記録されるデータＥＳフラグのうち、ＰＭＴの属するプログラムと対応するサービスＩＤのデータＥＳフラグをＯＮにする。図３を参照すれば、例えば、サービスＩＤが１であるプログラムは、データＥＳを含むと判定され、その結果、同一の行の第３列１２７がＯＮとなる。本例では、サービスＩＤが３であるプログラムのデータＥＳフラグも同様の理由でＯＮにされる。
【００４９】
ステップＳ１１７では、管理テーブル作成部１０３は、管理テーブル１２１の第４列であるデータＥＳのＰＩＤに、ＰＭＴの属するプログラムに対応するサービスＩＤと対応付けてデータＥＳのＰＩＤを記録する。図３を参照すれば、例えばサービスＩＤが１であるプログラムのデータＥＳのＰＩＤは、０ｘ１４２０であることが記録される。また、本例では、サービスＩＤが３であるプログラムのデータＥＳのＰＩＤは、０ｘ１６２０であることが記録される。
【００５０】
また、ステップＳ１１３において、ＰＭＴの属するプログラムにはデータＥＳが多重されていないと判定された場合、処理はステップＳ１１９に進み、管理テーブル作成部１０３は、管理テーブル１２１の第３列１２７であるデータＥＳフラグのうち、ＰＭＴの属するプログラムと対応するサービスＩＤのデータＥＳフラグをＯＦＦにする。図３を参照すれば、例えばサービスＩＤが２であるプログラムにはデータＥＳが多重されていないと判定されたため、第３列１２７のうちサービスＩＤが２の行のデータＥＳフラグが、ＯＦＦにされる。データフラグがＯＦＦと記録されているサービスＩＤのデータＥＳのＰＩＤ（第４列１２９）が参照されることはない。そのため、データＥＳのフラグがＯＦＦになっている行の第４列１２９には、有意な情報を記録する必要はない。本例では、同様にしてサービスＩＤが４であるプログラムのデータＥＳフラグもＯＦＦにされる。
【００５１】
以上の処理を、受信したデジタル放送信号に含まれるＴＳパケットについて順次実行することにより、管理テーブル１２１は更新され、最新の状態を保持し続ける。
【００５２】
以上の処理により構築された管理テーブル１２１に基づき、再送信装置１００は、デジタル放送信号に含まれるデータＥＳを取り除き、予め再送信装置１００のＢＭＬデータ蓄積部１１５が蓄積しているＢＭＬデータをデジタル放送信号にデータＥＳとして多重し、再送信する。これより、これらの処理について図を参照しながら詳述する。
【００５３】
図４は、デジタル放送信号からデータＥＳを取り除き、新たなデータを多重し再送信するまでの処理に関するフローチャートである。ここで新たなデータとは、データＥＳを分離し取り除いたデジタル放送信号に多重される、ＩＰ網等により配信される情報へアクセスするためのアドレス情報が記述されたＢＭＬデータである。なお、図２に示した処理と重複する部分については簡単な説明をするに留め、アドレス情報の多重およびデジタル放送信号の再送信について詳述する。
【００５４】
図２で示したように、チューナ部１０１は、受信したデジタル放送信号を管理テーブル作成部１０３に送る（ステップＳ１０１）。
【００５５】
管理テーブル作成部１０３は、図２のステップＳ１０３と同様にデジタル放送信号のＴＳパケットのＰＩＤをチェックし、そのＴＳパケットがＰＡＴであるか否かを判定し、ＰＡＴであれば、ＰＭＴのＰＩＤを取得し（ステップＳ１０５）、ＴＳに含まれるプログラムのＰＭＴのＰＩＤについて管理テーブル１２１を作成する（ステップＳ１０７）。そして、ＰＡＴを含むＴＳパケットは、データ多重部１１３に送られる（ステップＳ１２６）。
【００５６】
ＴＳパケットがＰＡＴを含まないと判定された場合（ステップＳ１０３における「いいえ」）、次に、管理テーブル作成部１０３は、既に図２を参照し説明した処理と同様に、ＴＳパケットのＰＩＤをチェックし、そのＴＳパケットがＰＭＴであるか否かを判定し（ステップＳ１０９）、ＰＭＴを含むＴＳパケットから（サービスＩＤで区別する）各プログラムについてデータＥＳを含むか否かを判定し（ステップＳ１１３）、データＥＳを含む場合は、そのプログラムを示すサービスＩＤのデータＥＳフラグをＯＮにし（ステップＳ１１５）、さらにデータＥＳのＰＩＤをＰＭＴより取得し管理テーブル１２１に記録する（ステップＳ１１７）。データＥＳを含まない場合は、そのプログラムを示すサービスＩＤのデータＥＳフラグをＯＦＦにする（ステップＳ１１９）。このような処理を行うことで、管理テーブル１２１を構築し、更新する。そして、ＰＭＴを含むＴＳパケットはデータ多重部１１３に送られる（ステップＳ１２６）。ＰＡＴおよびＰＭＴのいずれも含まないＴＳパケットはデータＥＳ抽出部１０５に送られる（ステップＳ１２５）。
【００５７】
ステップＳ１２７では、管理テーブル１２１（図３参照。）に基づき、データＥＳ抽出部１０５は、ＴＳパケットのＰＩＤをチェックし、そのＰＩＤと、管理テーブル１２１において、データＥＳフラグがＯＮ状態であるサービスＩＤ（プログラム）と関連付けされたデータＥＳのＰＩＤのいずれかと一致するか否かを判定する（ステップＳ１２７）。判定対象のＴＳパケットのＰＩＤと、データＥＳフラグがＯＮ状態にあるデータＥＳのＰＩＤのいずれかと一致する場合、ステップＳ１２９に進み（ステップＳ１２７の「データＥＳのＰＩＤである」）、一致しない場合、ステップＳ１４３に進む（ステップＳ１２７の「データＥＳのＰＩＤではない」）。本例では、図３を参照すれば、データＥＳフラグがＯＮ状態にあるデータＥＳのＰＩＤは、０ｘ１４２０、０ｘ１６２０である。よって、ステップＳ１２７は、本例の場合、ＴＳパケットのＰＩＤが、０ｘ１４２０または０ｘ１６２０と一致するか否かを判定する。
【００５８】
ステップＳ１２９では、データＥＳ抽出部１０５は、データＥＳを抽出し、デジタル放送信号からそのデータＥＳを取り除く。
【００５９】
そして、データＥＳ抽出部１０５は、抽出したデータＥＳをデータＥＳ−ＢＭＬ変換部１０７に送る（ステップＳ１３１）。
【００６０】
データＥＳ−ＢＭＬ変換部１０７は、データＥＳ抽出部１０５から送られるデータＥＳを受け、受けたデータＥＳをＢＭＬ符号化（「データＥＳ−ＢＭＬ符号化」と称す。）し、ＢＭＬのファイルに変換する（ステップＳ１３３）。
【００６１】
なお、ステップＳ１３３における変換処理は、ＴＳパケットの生成処理、即ち、デジタル放送信号の生成処理過程におけるＢＭＬファイルからデータＥＳを含むＴＳパケットを生成する処理と逆の処理を行うことで実現することができる。
【００６２】
データＥＳ−ＢＭＬ変換部１０７は、蓄積部１０９へ、ＢＭＬ符号化されたデータＥＳ（「符号化データＥＳ」と称する）を送る（ステップＳ１３５）。
【００６３】
蓄積部１０９は、符号化データＥＳを受け取り、受け取った符号化データＥＳを蓄積（記録）する（ステップＳ１３７）。
【００６４】
蓄積部１０９は、この符号化データＥＳをＢＭＬ符号化された情報（ＢＭＬファイル）として提供するデータベース（以下、ＤＢと記す。）として機能することができる。蓄積部１０９の記憶するこのＢＭＬファイルは、Ｗｅｂサーバとしての機能を有する情報配信サーバ１１１によりＩＰ網１１９を介しＨＴＴＰ(Hyper Text Transfer Protocol)で配信することができる。
【００６５】
また、データＥＳを取り除かれたデジタル放送信号は、データＥＳ抽出部１０５からデータ多重部１１３に送られる（ステップＳ１３９）。
【００６６】
データ多重部１１３は、予めＢＭＬデータ蓄積部１１５が記憶しているＢＭＬデータをデジタル放送信号に多重する処理を行う。具体的には、ステップＳ１２９で取り除かれたデータＥＳのＰＩＤを用いてデジタル放送信号に多重する（ステップＳ１４１）。このＢＭＬデータは、ステップＳ１２９で抽出したデータＥＳを情報配信サーバ１１１で配信するために必要な情報、つまり、受信者が情報配信サーバ１１１にアクセスし、上記取り除かれ、蓄積部１０９に蓄積されているデータＥＳに含まれる情報を取得するのに必要なアドレス情報が記述される。このＢＭＬデータに含まれるアドレス情報は、ＢＭＬで記述した場合、例えば、
ｂｒｏｗｓｅｒ．ｌａｕｎｃｈＤｏｃｕｍｅｎｔ（”ｈｔｔｐ：／／ｓｅｒｖｅｒアドレス／ｅｐｇ／ｄａｔａ＿ｔｏｐ．ｂｍｌ“）
と記述することができる。
【００６７】
これまでに、ＴＳからデータＥＳを除去し（ステップＳ１２９参照。）、新たな情報（ＢＭＬデータ）をデータＥＳとして多重しているため、ＴＳパケットのＰＣＲ(Program Clock Rate)の補正処理を行う（ステップＳ１４３）。
【００６８】
次に、データ多重部１１３は、デジタル放送信号を構成するＴＳパケットをＩＰ送信部１１７に送る（ステップＳ１４５）。
【００６９】
ＴＳパケットを受けたＩＰ送信部１１７は、放送信号をＴＳパケット単位でまとめ、ＵＤＰ(User Datagram Protocol)でマルチキャスト送信処理を行う（ステップＳ１４７）。なお、ＩＰ送信処理については、ＵＤＰのマルチキャスト送信だけでなく、より上位のＲＴＰ(Realtime Transfer Protocol)の適用や、もちろんＴＣＰ(Transmission Control Protocol)などによるユニキャスト通信など送信プロトコルの種類は問わない。
【００７０】
上記の処理を行い、デジタル放送信号を再送信することで、デジタル放送信号に含まれるＢＭＬデータを受信した受信機は、ＢＭＬデータに記述されたサーバのアドレスにアクセスしデータを自動的に取得する動作を行うことで、デジタル放送信号にデータＥＳそのものが多重されていなくとも、ＩＰ網１１９を介して情報配信サーバ１１１にあるデータ（データ放送等に関する情報）を取得することが出来る。
【００７１】
図５は、上記処理により削減されるデジタル放送再送信に必要な帯域幅を示す模式図である。
チューナ部１０１の受信したデジタル放送信号（受信信号）１５１ａは、選局情報などのＰＳＩ情報１５３と、ＥＰＧ情報などのＳＩ情報１５５と、番組（プログラム）１５７ａ、  ．．．  、１５７ｎを含む。各プログラムは、ＥＳを含む。例えば、プログラム１５７ａは、映像ＥＳ１５７ａｖ、音声ＥＳ１５７ａａ、およびデータＥＳ１５７ａｄを含む。他方、ＩＰ送信部１１７から再送信されるデジタル放送信号（再送信信号）１５１ｂは、ＰＳＩ情報１５３と、ＳＩ情報１５５と、番組（プログラム）１５７ａｘ、  ．．．  、１５７ｎｘを含む。例えば、プログラム１５７ａｘからは、データＥＳ１５７ａｄが取り除かれ、代わりにアドレス情報を含むデータＥＳ１５７ａｘｄが多重される。このデータＥＳ１５７ａｘｄは、取り除かれたデータＥＳ１５７ａｄを配信する情報配信サーバ１１１にアクセスするためのアドレス情報を含むデータＥＳである。
【００７２】
周知の通りデータＥＳ１５７ａｄは、画像や文字情報など、様々な情報を含む。それに対し、アドレス情報を含むデータＥＳ１５７ａｘｄは、サーバ１１１にアクセスするための情報のみを記述するデータである。よって、データＥＳ１５７ａｄとデータＥＳ１５７ａｄｘとでは、データＥＳ１５７ａｘｄの方が少ない情報量で済むことになる。
【００７３】
従い、デジタル放送信号の再送信に必要な帯域幅（情報量）が削減される。削減幅は、元のデジタル放送信号に含まれるデータＥＳの量にほぼ等しい。
【００７４】
現在の地上デジタル放送の実例を見れば、サーバのアドレスのみを記述したアドレス情報であるデータＥＳ１５７ａｘｄは数十ｋｂｐｓの情報量であるのに対し、番組に多重されるデータＥＳ（１５７ａｄ等）は数Ｍｂｐｓ程度の情報量を有するものもある。本発明の再送信装置１００により、再送信されるデジタル放送全体の情報量は、従来よりも１０％〜２０％程度削減することができる。
【００７５】
以上のように、本発明の実施の形態１のデジタル放送再送信装置は、地上デジタル放送をＩＰ網に再送信する場合に、サービス（プログラム）毎に多重されたデータＥＳを抽出し取り除き、代わりに非常に小さな情報量のデータＥＳを多重することで再送信に必要な帯域を削減する。
【００７６】
（実施の形態２）
本実施の形態によるデジタル放送再送信装置は、先の実施形態の再送信装置１００と同様の構成を備え、さらに、ＰＭＴ編集部を備える。ＰＭＴ編集部は、放送信号に含まれるＰＭＴを編集し、その内容を変更する機能を有する。本実施形態において、ＰＭＴ編集部は、データＥＳのＰＩＤを編集する。それにより、少なくとも２つのプログラムが利用するデータＥＳのＰＩＤを共通化し、よってアドレス情報を含むデータＥＳを多重する頻度を減少させ、さらなる帯域幅の削減を実現する。
以下、実施の形態２による再送信装置について詳述する。なお、実施の形態１による再送信装置１００と同様の構成・処理・効果については、一部説明を省略する。
【００７７】
図６は、実施の形態２による再送信装置の構成を示すブロック図である。
【００７８】
再送信装置２００は、デジタル放送波を受信するチューナ部１０１と、管理テーブルを作成する管理テーブル作成部１０３と、ＰＡＴの示すＰＭＴのＰＩＤに基づきＰＭＴを検出し、ＰＭＴに記述されているデータＥＳのＰＩＤを編集し変更するＰＭＴ編集部２０１と、データＥＳを検出し、抽出するデータＥＳ抽出部１０５と、抽出したデータＥＳをＢＭＬ符号化するデータＥＳ−ＢＭＬ変換部１０７と、ＢＭＬ符号化したデータＥＳを蓄積する蓄積部１０９と、蓄積部１０９に蓄積したＢＭＬ符号化したデータＥＳ等をＨＴＴＰ(Hyper Text Transfer Protocol)で配信する情報配信サーバ１１１と、ＩＰ網１１９に接続された情報配信サーバ（ＷＥＢサーバ）１１１および情報配信サーバ１１１内に蓄積されるデータにアクセスするためのアドレス情報を蓄積するＢＭＬデータ蓄積部１１５と、ＢＭＬデータ蓄積部１１５に蓄積されたアドレス情報を、デジタル放送信号に多重するデータ多重部１１３と、デジタル放送信号をＩＰパケット化し、ＩＰ網１１９へ再送信するＩＰ送信部１１７を有する。
【００７９】
再送信装置１００のブロック図である図１と同一の参照数字を付した構成要素は、実施の形態１を構成する要素と実質的に同一であってよい。これら同一の構成要素の、本実施形態における動作において実施の形態１と相違する点については以下で詳述する。同一の動作については簡単な説明に留める。
【００８０】
ＰＭＴ編集部２０１は、デジタル放送再送信装置のＰＭＴ編集手段である。
【００８１】
これより、実施の形態２による再送信装置２００の動作について説明する。
図７は、実施の形態２による再送信装置２００の処理に関するフローチャートである。なお、先に説明した処理と同様の処理を行うステップには、共通の参照番号を付してある。
【００８２】
実施の形態１における再送信装置１００の処理と同様、再送信装置２００は、チューナ部１０１でデジタル放送波を受信し、受信したデジタル放送信号は管理テーブル作成部１０３へ送られる（ステップＳ１０１）。
【００８３】
管理テーブル作成部１０３は、ＴＳパケットのＰＩＤをチェックし、ＰＡＴを含むか否か判定する（ステップＳ１０３）。
【００８４】
ＴＳパケットがＰＡＴを含む場合、ＰＭＴのＰＩＤを取得し（ステップＳ１０５）、プログラムと、各プログラムのＰＭＴのＰＩＤに関し管理テーブルを作成する（ステップＳ１０７）。そして、ＴＳパケットは、データ多重部１１３に送られる（ステップＳ１２６）。
【００８５】
ＴＳパケットがＰＡＴを含まない場合、そのＴＳパケットのＰＩＤが、ＰＭＴのＰＩＤと一致するか否かを判定する（ステップＳ１０９）。
【００８６】
ＴＳパケットがＰＡＴおよびＰＭＴのいずれをも含まない場合（ステップＳ１０９における「いいえ」）、そのＴＳパケットは、データＥＳ抽出部１０５に送られる（ステップＳ１２５）。
【００８７】
ＴＳパケットが、ＰＡＴを含まずＰＭＴを含む場合（ステップＳ１０９における「はい」）、そのＰＭＴがデータＥＳのＰＩＤを含むか否か判定する（ステップＳ１１３）。
【００８８】
プログラムそれぞれについて、そのプログラムがデータＥＳを含む場合、そのデータＥＳの属するプログラムに対応したサービスＩＤのデータＥＳフラグをＯＮにし（ステップＳ１１５）、さらにデータＥＳのＰＩＤをＰＭＴより取得し管理テーブルに記録する（ステップＳ１１７）。データＥＳを含まないプログラムに対応したサービスＩＤのデータＥＳフラグは、ＯＦＦとする。
【００８９】
本実施形態においては、実施の形態１における処理とは異なり、ステップＳ１１７およびＳ１１９の処理に続いて、ステップＳ２０１、Ｓ２０３、およびＳ２０５の処理が実行される。
【００９０】
ステップＳ２０１では、管理テーブル作成部１０３は、「多重ＰＩＤ」に関し管理テーブルを完成させる。ここで、多重ＰＩＤとは、後述のステップＳ２０７においてＢＭＬデータに付されるＰＩＤを指す。
【００９１】
図８は、本実施形態において作成される管理テーブルである。この図を参照し、多重ＰＩＤについて説明する。
【００９２】
管理テーブル２２１の、第１ないし４列１２３、１２５、１２７、および１２９は、実施の形態１の管理テーブル１２１と同様である。本実施形態の管理テーブル２２１は、さらに第５列２３１を有する。第５列２３１は、多重ＰＩＤを記録する。ここで、多重ＰＩＤは、管理テーブル２２１の第４列１２９に記録されたデータＥＳのＰＩＤ（データＥＳ−ＰＩＤ）のいずれかと一致してもよいが、データＥＳのＰＩＤ以外のＰＩＤと重複してはならない。この条件を除けば多重ＰＩＤの値は、任意である。また、本例においては、サービスＩＤ１ないし４の多重ＰＩＤを全て同一の値（０ｘ１４２０）として設定しているが、複数の多重ＰＩＤを備えてもよい。多重ＰＩＤの本発明における効果については、後で説明する。
【００９３】
そして、管理テーブル作成部１０３は、ＴＳパケットをＰＭＴ編集部２０１へ送る（ステップＳ２０３）。
【００９４】
ステップＳ２０５では、ＰＭＴ編集部２０１は、管理テーブル２２１を参照し、ＰＭＴに含まれるデータＥＳのＰＩＤに関する記述を編集する。具体的には、ＰＭＴ編集部２０１は、各プログラムのデータＥＳのＰＩＤを、多重ＰＩＤとする変更を行う。例えば、図８を参照すれば、多重ＰＩＤは、全てのプログラム（全てのサービスＩＤ）に対し０ｘ１４２０と設定されている。この場合、ＰＭＴ編集部２０１は、全てのプログラムに関しＰＭＴに記述されているデータＥＳのＰＩＤを、多重ＰＩＤの値である０ｘ１４２０に設定しなおす処理を行う。なお、少なくとも１つのサービスＩＤに関連付けられている多重ＰＩＤの値がその他の多重ＰＩＤの値と異なるような多重ＰＩＤの設定が成されている場合、プログラムのそれぞれに属するデータＥＳのＰＩＤを、各サービスＩＤと関連付けて記録されている多重ＰＩＤの値に変更すればよい。
【００９５】
データＥＳのＰＩＤが編集されたＰＭＴを含むＴＳパケットは、データ多重部１１３に送られる（ステップＳ１２６）。
【００９６】
さて、ステップＳ１２５においてデータＥＳ抽出部１０５に送られたＰＡＴおよびＰＭＴのいずれをも含まないＴＳパケットは、先の実施形態と同様に、そのＴＳパケットのＰＩＤと、管理テーブル２２１に記載のデータＥＳのＰＩＤと比較され（ステップＳ１２７）、一致する場合ステップＳ１２９に進む。一致しない場合、ステップＳ１４３に進む。
【００９７】
ステップＳ１２９、Ｓ１３１、Ｓ１３５、Ｓ１３７、およびＳ１３９における処理は、実施の形態１における同一の参照数字が付されたステップにおける処理と同一である。
【００９８】
ステップＳ２０７では、データ多重部１１３は、予めＢＭＬデータ蓄積部１１５が記憶しているＢＭＬデータをデジタル放送信号に多重する処理を行う。具体的には、管理テーブル２２１に記録された多重ＰＩＤを用いてデジタル放送信号にＢＭＬデータを多重する（ステップＳ２０７）。本ステップは、実施の形態１におけるステップＳ１４１と類似する処理を行う。ステップＳ１４１と相違する点は、多重されるＢＭＬデータのＰＩＤの値である。実施の形態１では、取り除かれたデータＥＳのＰＩＤを用いてＢＭＬデータをデジタル放送信号に多重する。これに対し、本実施形態では、管理テーブル２２１に記録された多重ＰＩＤを用いてＢＭＬデータを多重する。この多重されるＢＭＬデータの含む内容については、実施の形態１におけるその内容と同等であってよい。
【００９９】
以降、ステップＳ１４３、Ｓ１４５、およびＳ１４７における処理は、実施の形態１における同一の参照数字が付されたステップにおける処理と同一である。実施の形態１と同様、本実施形態においても、ＩＰ網１１９に再送信されるデジタル放送信号に用いる通信プロトコルを、特にＵＤＰに限定する理由はない。
【０１００】
上記の処理を行い、デジタル放送信号を再送信することで、デジタル放送信号に含まれるＢＭＬデータを受信した受信機は、ＢＭＬデータに記述されたサーバのアドレスにアクセスしデータを自動的に取得する動作を行うことで、デジタル放送信号にデータＥＳそのものが多重されていなくとも、ＩＰ網１１９を介して情報配信サーバ１１１にあるデータ（データ放送等に関する情報）を取得することが出来る。
【０１０１】
図９は、上記本実施形態による処理で削減されるデジタル放送再送信に必要な帯域幅を示す模式図である。
チューナ部１０１の受信したデジタル放送信号（受信信号）１５１ａは、選局情報などのＰＳＩ情報１５３と、ＥＰＧ情報などのＳＩ情報１５５と、番組（プログラム）１５７ａ、  ．．．  、１５７ｎを含む。そして各プログラムは、ＥＳを含む。例えば、プログラム１５７ａは、映像ＥＳ１５７ａｖ、音声ＥＳ１５７ａａ、およびデータＥＳ１５７ａｄを含む。他方、ＩＰ送信部１１７から再送信されるデジタル放送信号（再送信信号）２５１は、ＰＳＩ情報１５３と、ＳＩ情報１５５と、複数のプログラムが共有するアドレス情報２５７ｘｄと、番組（プログラム）２５７ａｘ、  ．．．  、２５７ｎｘを含む。例えば、プログラム１５７ａは、データＥＳ１５７ａｄを含むプログラムであったが、再送信信号２５１においては、プログラム２５７ａｘは、データＥＳを含まず、映像ＥＳ１５７ａｖと音声ＥＳ１２７ａａのみから構成される。その他のプログラムにおいても同様である。そして、再送信信号２５１は、アドレス情報を含むデータＥＳ２５７ａｘｄが多重される。このデータＥＳ２５７ａｘｄは、取り除かれたデータＥＳに含まれる情報を配信する情報配信サーバ１１１にアクセスするためのアドレス情報を含むデータＥＳである。
【０１０２】
周知の通りデータＥＳ１５７ａｄは、画像や文字情報など、様々な情報を含む。それに対し、アドレス情報を含むデータＥＳ１５７ａｘｄは、サーバ１１１にアクセスするための情報のみを記述するデータである。よって、データＥＳ１５７ａｄとデータＥＳ１５７ａｄｘとでは、データＥＳ１５７ａｘｄの方が少ない情報量で済むことになる。
【０１０３】
元々プログラム１５７ａ、  ．．．  、１５７ｎに含まれたデータＥＳ１５７ａｄ等は、画像や文字情報などさまざまな情報を含む。それに対し、プログラム１５７ａ、  ．．．  、１５７ｎ間で共有されるアドレス情報データＥＳ２５７ｘｄは、サーバへのアドレス情報のみを記述したデータである。よって、データＥＳ１５７ａｄ等に比べ、データＥＳ２５７ｘｄの有する情報量は少なくて済む。また各プログラムに多重されたデータＥＳ１５７ａｄ等を、アドレス情報データＥＳ２５７ｘｄ一つで置換する。そのため、図９に示すように、デジタル放送の再送信に必要な情報量（帯域）は、受信信号１５１ａに含まれるデータＥＳ（１５７ａｖを含み、各プログラムに対して多重される全てのデータＥＳ）の情報量にほぼ等しい帯域幅を削減することが出来る。現在の地上デジタル放送の実例を挙げると、サーバのアドレスのみを記述したアドレス情報データＥＳ２５７ｘｄは、数十ｋｂｐｓであり、かつ各プログラムから共有可能であるのに対し、プログラムごとに多重されるデータＥＳは数Ｍｂｐｓ程度あるものもある。本発明の再送信装置では、デジタル放送の全体の情報量として従来よりも２０％強程度の情報量の削減が可能である。
【０１０４】
以上のように、本発明の実施の形態２のデジタル放送再送信装置は、地上デジタル放送をＩＰ網に再送信する場合に、プログラム毎に多重されるデータＥＳを取り除き、代わりにプログラム間で共有可能なデータＥＳを多重することにより再送信に必要な帯域幅を削減する。
【０１０５】
本発明にかかるデジタル放送再送信装置は、地上デジタル放送などのデジタル放送の再送信に必要な帯域幅を狭くすることができる。さらには、従来よりも狭帯域幅で、デジタル放送に含まれる全てのサービス（プログラム等）を再送信し、提供することができる。
【産業上の利用可能性】
【０１０６】
本発明に係るデジタル放送再送信装置は、地上デジタル放送等のデジタル放送信号をＩＰ網を使って再送信する場合、再送信に必要な帯域幅を削減し、かつ番組関連情報などの情報提供が簡易に行える再送信装置として有用である。
【図面の簡単な説明】
【０１０７】
【図１】本発明の実施の形態１によるデジタル放送再送信装置のブロック図
【図２】本発明の実施の形態１による管理テーブル作成処理のフローチャート
【図３】本発明の実施の形態１による管理テーブルの例を示す図
【図４】本発明の実施の形態１による信号再送信処理のフローチャート
【図５】本発明の実施の形態１による再送信時の帯域幅削減に関する概略的模式図
【図６】本発明の実施の形態２によるデジタル放送再送信装置のブロック図
【図７】本発明の実施の形態２による信号再送信処理のフローチャート
【図８】本発明の実施の形態２による管理テーブルの例を示す図
【図９】本発明の実施の形態２による再送信時の帯域幅削減に関する概略的模式図
【符号の説明】
【０１０８】
１００  ・・・  再送信装置                １０１  ・・・  チューナ部
１０３  ・・・  管理テーブル作成部        １０５  ・・・  データＥＳ抽出部
１０７  ・・・  データＥＳ−ＢＭＬ変換部  １０９  ・・・  蓄積部
１１１  ・・・  情報配信サーバ            １１３  ・・・  データ多重部
１１５  ・・・  ＢＭＬデータ蓄積部        １１７  ・・・  ＩＰ送信部
１１９  ・・・  ＩＰ網                    １２１  ・・・  管理テーブル
１２３  ・・・  管理テーブル第１列        １２５  ・・・  管理テーブル第２列
１２７  ・・・  管理テーブル第３列        １２９  ・・・  管理テーブル第４列
１５１ａ  ・・  受信信号                  １５１ｂ  ・・  再送信信号
１５３  ・・・  ＰＳＩ情報                １５５  ・・・  ＳＩ情報
１５７ａ〜ｎ・  受信信号における番組（プログラム）
１５７ａｘ〜ｎｘ  再送信信号における番組（プログラム）
１５７ａｖ・・  映像ＥＳ                  １５７ａａ・・  音声ＥＳ
１５７ａｄ・・  受信信号における番組１５７ａのデータＥＳ
１５７ａｘｄ・  再送信信号に多重される番組１５７ａのデータＥＳ
２００  ・・・  再送信装置                ２０１  ・・・  ＰＭＴ編集部
２２１  ・・・  管理テーブル              ２３１  ・・・  管理テーブル第５列
２５１  ・・・  再送信信号
【図１】
0004817832.tif 000002
【図２】
0004817832.tif 000003
【図３】
0004817832.tif 000004
【図４】
0004817832.tif 000005
【図５】
0004817832.tif 000006
【図６】
0004817832.tif 000007
【図７】
0004817832.tif 000008
【図８】
0004817832.tif 000009
【図９】
0004817832.tif 000010